【手続補正書】
【提出日】平成23年2月28日(2011.2.28)
【手続補正１】
【補正対象書類名】明細書
【補正対象項目名】００２７
【補正方法】変更
【補正の内容】
【００２７】
このうち、筐体２は、警報器１の基本構造体であり、表カバー６と裏カバー７とを相互に組み合わせて略方形状に構成されている。また、煙流入口３は、煙を警報器１の内部に導入するものであり、このように導入された煙の濃度を公知の方法にて測定することにより、火災発生の有無を検出することができる。また、ガス流入口４は、ガスを警報器１の内部に導入するものであり、このように導入されたガスのうち、メタンを公知の方法にて測定することで、ガス漏れの有無を検出し、一酸化炭素を公知の方法にて測定することで、不完全燃焼の有無を検出することができる。また、係止部５は、筐体２を監視領域に取付けるための固定手段であり、図２、３に例示するように、裏カバー７の上部に設けられている。
【手続補正２】
【補正対象書類名】明細書
【補正対象項目名】００２８
【補正方法】変更
【補正の内容】
【００２８】
ここで、図２、３に示すように、裏カバー７には、本体部７ａと、着脱部７ｂとが設けられており、着脱部７ｂは本体部７ａに対して着脱自在とされている。この着脱部７ｂによって覆われる警報器１の裏面には、接続空間部８が形成されており、この接続空間部８に電源接続端子１０及び巻き止め部２０が設けられている。そして、この接続空間部８の内部には、商用電源等に接続された２線式の電源コード９の一部が引き込まれており、この電源コード９の一部は、巻き止め部２０によって巻き止められている。また、この電源コード９の各線の端部は、それぞれ電源接続端子１０に接続されている。ここで、電源接続端子１０は、図３に示すように、回路基板１１に接続されており、すなわち、電源コード９は、電源接続端子１０を介して回路基板１１に接続されている。
【手続補正３】
【補正対象書類名】明細書
【補正対象項目名】００２９
【補正方法】変更
【補正の内容】
【００２９】
また、図２に示すように、裏カバー７には、調節ガイド７ｃ、７ｄが描かれており、調節ガイド７ｃ、７ｄの両端近傍位置には調節目印７ｅ、７ｆが描かれている。これら調節ガイド７ｃ、７ｄ及び調節目印７ｅ、７ｆは、電源コード９を適切な長さに切断するためのもので、特許請求の範囲におけるガイド手段に対応する。この調節目印７ｅ、７ｆの間隔は、接続空間部８に引き込まれて電源接続端子１０に至る電源コード９の最適な長さと略等しくなるように決定されている。従って、電源コード９の一端を商用電源に接続した後、この電源コード９の他端を警報器１に接続する際、この電源コード９の他端を調節ガイド７ｃ、７ｄに沿わせ、調節目印７ｅ、７ｆの間隔分だけ残して、残りを切断することで、電源コード９を警報器１に接続するための最適な長さに容易に調整することができる。なお、このようなガイド手段は、裏カバー７以外の任意の位置に設けることもでき、例えば、筐体２の側面に設けても良い。
【手続補正４】
【補正対象書類名】明細書
【補正対象項目名】００５０
【補正方法】変更
【補正の内容】
【００５０】
このように実施の形態１によれば、電源コード９を任意の長さに切断して、電源接続端子１０に挿通させ、操作ネジ１５を廻すだけで、電源コード９の接続を行うことができるので、電源コード９のコード芯線９ｂを剥くような手間を省略できて、接続作業を容易に行うことができ、また、電源コード９の巻取り部が不要になるので、警報器１を薄厚に形成することができる。また、操作ネジ１５による圧着力が、移動プレート１４、電源コード９、及び、ベース１２の上面の内部で伝達され、ベース１２の下方へ伝達されることが防止されるので、回路基板１１を変形等させることを防止できると共に、作業を一層容易に行うことができる。また、ベース１２の開口部１２ａを扁平状に形成することで、電源コード９を扁平形状に変形させ、接合部１３をコード芯線９ｂに確実に到達させることができる。また、接合支持部１３ｂの高さＨを、接合支持部１３ｂの高さＨ＜非圧着時の電源コード９の径Ｄとなるように決定したので、電源コード９に対して接合部１３を確実に圧着させ、接合部１３をコード芯線９ｂに確実に到達させることができる。また、操作ネジ１５を、電源コード９の挿通方向において、ベース１２の中央位置よりも後方側に配置したので、電源コード９を一層確実にベース１２に挿通することができて、接合性が向上する。また、ベース１２の開口部１２ａを、当該ベース１２の上面近傍に配置したので、開口部１２ａが警報器１の裏面外部寄りに位置し、電源コード９を一層容易に挿通させることができる。また、移動プレート１４及び接合部１３は、操作ネジ１５を廻すことによって図示上方に移動するので、移動プレート１４及び接合部１３が作業者にとって見易い位置に移動してくることになり、作業性が一層向上する。また、ベース１２の切欠き部１２ｃ及び移動プレート１４の切欠き部１４ａとリブ２ａとの係合により、あるいは、移動プレート１４の切欠き部１４ｂとベース１２における開口部１２ｄの側方部分との係合により、移動プレート１４やベース１２の動揺が規制され、操作ネジ１５をスムーズに廻して接続を行うことができる。さらに、巻き止め部２０を設けたので、電源コード９が何らかの原因によって下方側の荷重を受けた場合においても、この荷重がストッパー２１によって支持され、電源コード９が一層確実に巻き止められる。
【手続補正５】
【補正対象書類名】明細書
【補正対象項目名】００５３
【補正方法】変更
【補正の内容】
【００５３】
このように実施の形態２においては、実施の形態１と同様の効果に加えて、ベース３１の切欠き部３１ｂが下方を開放するように形成されているので、ベース３１の型成形が一層容易になると共に、ベース３１に対する移動プレート３２の組立てが一層容易になる。
【手続補正６】
【補正対象書類名】明細書
【補正対象項目名】００５９
【補正方法】変更
【補正の内容】
【００５９】
図２２は、電源接続端子の斜視図、図２３は、電源接続端子の側面図、図２４は、電源接続端子を基板と共に示す縦断面図である。これら各図に示すように、電源接続端子５０は、ベース５１、接合部１３、移動プレート１４、及び、操作ネジ１５を備えて構成されている。
【手続補正７】
【補正対象書類名】明細書
【補正対象項目名】００６３
【補正方法】変更
【補正の内容】
【００６３】
また、本実施の形態４においては、図２２に示すように、端子５１ａ〜５１ｄのうち、端子５１ａの横断面幅を、端子５１ｂ〜５１ｄの横断面幅よりも太くしている。また、これに対応して、回路基板１１においては、端子５１ａ〜５１ｄを差し込む図示しない孔部のうち、端子５１ａを差し込む孔部の内径を、他の孔部の内径よりも広くしている。従って、作業者が端子５１ａ〜５１ｄを回路基板１１の孔部に差し込む際、端子５１ａを所定の孔部以外に差し込むことが防止され、結果として、端子５１ａ〜５１ｄを回路基板１１に対する所定位置に確実に配置することができる。なお、この他にも、例えば、端子５１ａの横断面形状を丸形状にする一方で、他の端子５１ｂ〜５１ｄの横断面形状を角形状にする等、断面形状を変えても良い。また、１つの端子５１ａのみでなく、複数の端子を相互に異なる形状にしても良い。すなわち、端子５１ａ〜５１ｄの一部の横断面幅を少なくとも「異なる形状」とすることにより、同様の効果を得ることができる。
【手続補正８】
【補正対象書類名】明細書
【補正対象項目名】００６７
【補正方法】変更
【補正の内容】
【００６７】
このような構成において、接合された電源コード９を何らかの事情によって取り外すような場合等において、作業者が、移動プレート４３を下方に移動させる方向に操作ネジ１５を操作した場合、操作ネジ１５の下端に移動プレート４３が移動した時点で、この移動プレート４３のそれ以上の下方への移動が移動ガイド６１によって規制される。従って、移動プレート４３が操作ネジ１５から脱落することを防止することができるので、操作ネジ１５の操作に過大な注意力を払う必要がなくなり、操作性が向上する。
【手続補正９】
【補正対象書類名】明細書
【補正対象項目名】００６８
【補正方法】変更
【補正の内容】
【００６８】
このように実施の形態５によれば、実施の形態３と同様の効果に加えて、移動ガイド６１を設けたので、移動プレート４３が操作ネジ１５から脱落することを防止することができ、操作性が向上する。
【手続補正１０】
【補正対象書類名】明細書
【補正対象項目名】００６９
【補正方法】変更
【補正の内容】
【００６９】
〔実施の形態６〕
次に、実施の形態６について説明する。この実施の形態６は、移動プレートを下方に移動させる点や接合部をベースに配置した点等において、移動プレートを上方に移動させると共に接合部を移動プレートに配置している実施の形態１と異なる。ただし、特に説明なき構成については、実施の形態１と同様であり、実施の形態１と略同一の構成の一部については、実施の形態１の説明中に使用した符号と同一の符号を付する。
【手続補正１１】
【補正対象書類名】明細書
【補正対象項目名】００７４
【補正方法】変更
【補正の内容】
【００７４】
〔実施の形態７〕
次に、実施の形態７について説明する。この実施の形態７は、操作手段として、スプリングとロッドを用いている一方で操作ネジを省略している点において、操作手段として操作ネジを用いている実施の形態１とは異なる。ただし、特に説明なき構成については、実施の形態１と同様であり、実施の形態１と略同一の構成の一部については、実施の形態１の説明中に使用した符号と同一の符号を付する。
【手続補正１２】
【補正対象書類名】明細書
【補正対象項目名】００８３
【補正方法】変更
【補正の内容】
【００８３】
このように実施の形態８によれば、実施の形態７と略同様の効果を得ることができる。
【手続補正１３】
【補正対象書類名】明細書
【補正対象項目名】００８５
【補正方法】変更
【補正の内容】
【００８５】
図３２は、接続前の状態における電源接続端子の側面図、図３３は、接続中の状態における電源接続端子の側面図である。これら各図に示すように、電源接続端子１００は、ベース９１、接合部９２、移動プレート９３、スプリング８６、操作ロッド８７、及び、クリック部８８を備えて構成されている。
【手続補正１４】
【補正対象書類名】明細書
【補正対象項目名】００８６
【補正方法】変更
【補正の内容】
【００８６】
このうち、クリック部８８は、電源コード９を挿入した際の挿入感を作業者に与えるためのもので、特許請求の範囲における抵抗付加手段に対応する。具体的には、クリック部８８は、ベースの９１の上面に接続された被押圧体９１ｂと、移動プレート９３の上面に形成された突起９３ａとを備えて構成されている。このうち、被押圧体９１ｂは、ベース９１の上面に回転自在に軸支されており、電源コード９の先端によって押圧されることによって、操作ロッド８７の方に向けて回転する。また、突起９３ａは、被押圧体９１ｂが移動プレート９３に対して略直交する図３２の状態において、この被押圧体９１ｂの先端に係止するような位置及び高さに形成されている。
【手続補正１５】
【補正対象書類名】明細書
【補正対象項目名】００８７
【補正方法】変更
【補正の内容】
【００８７】
このような構成において、操作ロッド８７を押下げることで、移動プレート９３がスプリング８６の押圧力に抗して下方に押し下げられ、移動プレート９３と接合部９２との間隔が確保される。この状態を維持しつつ、電源コード９の端部を開口部９１ａを介して移動プレート９３と接合部９２との間に挿通させると、この電源コード９の先端によって被押圧体９１ｂが押圧される。この時、被押圧体９１ｂの先端に突起９３ａが係止しているため、被押圧体９１ｂの回転が規制され、電源コード９を介して作業者に圧力が伝達される。この圧力に抗して作業者がさらに電源コード９を押し込むと、被押圧体９１ｂの先端が突起９３ａを乗り越えて回転し、図３３の状態になる。この状態で、作業者が操作ロッド８７の押下げを解除すると、移動プレート９３がスプリング８６の押圧力によって自動的に上方に移動し、これら移動プレート９３と接合部９２とによって電源コード９が挟持される。
【手続補正１６】
【補正対象書類名】明細書
【補正対象項目名】０１０９
【補正方法】変更
【補正の内容】
【０１０９】
このような構成において、第１の突部１４１ｂと第２の突部１４３ａとの係合状態を解除した初期状態においては、接合部１４２がベース１４１の上方の離れた位置にあり、これら両者の間にスペースが形成される。そして、開口部１４１ａからベース１４１に電源コード９の端部を挿通し、移動プレート１４３を下方に押し下げると、第１の突部１４１ｂと第２の突部１４３ａとが相互に係合して、移動プレート１４３が固定される。また、この移動に伴って、接合部１４２がベース１４１に近接することから、この接合部１４２が電源コード９に圧着される。
【手続補正１７】
【補正対象書類名】明細書
【補正対象項目名】０１１１
【補正方法】変更
【補正の内容】
【０１１１】
〔実施の形態１４〕
次に、実施の形態１４について説明する。この実施の形態１４は、図２６に示した実施の形態６の構成に対して、一対の接合部の一方を、電源コードを切断するための切断手段とした点において異なる。ただし、特に説明なき構成については、実施の形態６と同様であり、実施の形態６と略同一の構成の一部については、実施の形態６の説明中に使用した符号と同一の符号を付する。
【手続補正１８】
【補正対象書類名】明細書
【補正対象項目名】０１１８
【補正方法】変更
【補正の内容】
【０１１８】
このような構成において、前方側の開口部１２ａ及び、第１の凹部１６１ａに電源コード９の端部を挿通させた後、操作ネジ１５を廻すことで、移動プレート１４を上方に移動させる。そして、電源コード９が押込み突起１６２ａに接することで、この押込み突起１６２ａによって電源コード９が第２の凹部１６１ｂに押込まれる。この際、第２の凹部１６１ｂの幅Ｗ２は電源コード９の外径Ｄ１より小さいことから、電源コード９の被覆９ａが剥かれつつ押込みが行われる。この結果、図４６に示すように、被覆９ａが剥かれ、コード芯線９ｂのみが第２の凹部１６１ｂに押込まれ、これらコード芯線９ｂと第２の凹部１６１ｂとが相互に接触することで、導通が確保される。
【手続補正１９】
【補正対象書類名】明細書
【補正対象項目名】０１２５
【補正方法】変更
【補正の内容】
【０１２５】
図４９は、巻き止め部の斜視図、図５０は、巻き止め部を電源コード９と共に示す縦断面図である。これら各図に示すように、巻き止め部１８０は、複数のストッパー１８１を前後方向に略直列的に配置して構成されている。各ストッパー１８１は、略台形状に形成されており、これらストッパー１８１の相互間に形成される巻き止め空間部１８２も略台形状に形成されている。ここで、図５０に示すように、この巻き止め空間部１８２の上方の幅Ｗ３及び下方の幅Ｗ４は、電源コード９の外径Ｄに対して、下方の幅Ｗ４＜外径Ｄ＜上方の幅Ｗ３となるように決定されている。
【手続補正２０】
【補正対象書類名】明細書
【補正対象項目名】０１３０
【補正方法】変更
【補正の内容】
【０１３０】
（接合手段について）
上述したように、接合手段については、形成数が任意であり、複数設けても良い。また、形成方向については、上方から下方に向けって設けても良く、あるいは、下方から上方に向かって設けることもできる。また、接合手段と対向する接合受け手段を設け、これらにて電源コード９を挟持するようにしても良い。また、接合部の形状は上述のものに限られず、例えば、その縦断面形状が多段的な鋭角形状をなすような形状であっても良い。
【手続補正２１】
【補正対象書類名】明細書
【補正対象項目名】０１３２
【補正方法】変更
【補正の内容】
【０１３２】
（導通性について）
また、電源接続端子の各部は、導通性を有する部材にて構成することができるが、電力供給に必要な部分のみに導電性を持たせ、他の部分については必要に応じて絶縁等を施すことができる。
【手続補正２２】
【補正対象書類名】図面
【補正対象項目名】図３８
【補正方法】変更
【補正の内容】
【図３８】
2010067619.tif 000001
【手続補正２３】
【補正対象書類名】図面
【補正対象項目名】図４２
【補正方法】変更
【補正の内容】
【図４２】
2010067619.tif 000002